(57)【要約】【課題】より靴脱ぎがしやすい靴脱ぎ補助具の提供を目的とする。【解決手段】弾性変形可能な摩擦体を固定基部１から中空状に膨出させて形成される踵部保持部２を有し、靴３内で踵４を靴脱ぎ方向に移動させるときの靴３の踵部５の靴脱ぎ方向への追随を該踵部５に沿って密着する踵部保持部２との間の摩擦により規制して構成する。  また、弾性変形可能な摩擦体を中空状に膨らませて形成される踵部保持部２と、  足８に履いたままの靴３が載せられる靴載せ部９と、    該靴載せ部９から立設されて靴３の踵部５に対応する位置に踵部保持部２を保持する支持部１０とを有し、  靴載せ部９に載せられた靴３の踵部５に合わせて踵部保持部２を変形させ、靴３内で踵４を靴脱ぎ方向に移動させるときの靴３の踵部５の靴脱ぎ方向への追随を該踵部５に密着する踵部保持部２との間の摩擦により規制して構成する。【選択図】  図５
2007014557.tif 000002
【特許請求の範囲】
【請求項１】
弾性変形可能な摩擦体を固定基部から中空状に膨出させて形成される踵部保持部を有し、靴内で踵を靴脱ぎ方向に移動させるときの靴の踵部の靴脱ぎ方向への追随を該踵部に沿って密着する踵部保持部との間の摩擦により規制する靴脱ぎ補助具。
【請求項２】
前記踵部保持部は、下部外形線が上部外形線よりもなだらかな側断面視ほぼ弓状に摩擦体を膨出させて形成される請求項１記載の靴脱ぎ補助具。
【請求項３】
弾性変形可能な摩擦体を中空状に膨らませて形成される踵部保持部と、
足に履いたままの靴が載せられる靴載せ部と、  
該靴載せ部から立設されて靴の踵部に対応する位置に踵部保持部を保持する支持部とを有し、
靴載せ部に載せられた靴の踵部に合わせて踵部保持部を変形させ、靴内で踵を靴脱ぎ方向に移動させるときの靴の踵部の靴脱ぎ方向への追随を該踵部に密着する踵部保持部との間の摩擦により規制する靴脱ぎ補助具。
【請求項４】
弾性変形可能な摩擦体により形成される踵部保持部と、
両足に履いたままの靴が揃えて載せられる靴載せ部と、  
該靴載せ部から立設されて靴の踵部周辺を囲う平面視コ字形状に形成され、靴の踵部に対応する位置に踵部保持部を保持する支持部とを有し、
一方の足の靴を脱ぐ際に靴載せ部あるいは支持部上に載せた他方の足によって踵部保持部を押さえ、靴内で踵を靴脱ぎ方向に移動させるときの靴の踵部の靴脱ぎ方向への追随を該踵部と踵部保持部との間の摩擦により規制する靴脱ぎ補助具。
【発明の詳細な説明】
【技術分野】
【０００１】
本発明は靴脱ぎ補助具に関するものである。
【背景技術】
【０００２】
従来、靴脱ぎ補助具としては、特許文献１に記載されたものが知られている。この従来例において、靴脱ぎ補助具は、細長いゴム板あるいは合成樹脂板の裏面に接着テープを取り付けて形成される。上記ゴム板等の表面にはその長手方向に沿って溝が設けられ、玄関の上がり框などに横向きに貼り付けることにより、靴の踵部を溝に引っ掛けて足を引くだけで靴を楽に脱ぐことができる。
【特許文献１】特開２００１-１８６９７６
【発明の開示】
【発明が解決しようとする課題】
【０００３】
一般に、靴を脱ぐ際には、足指のつけ根部分を曲げて足を反り返らせてゆくと同時に靴内で足を靴脱ぎ方向に滑らせてゆくことにより踵を引き上げる、すなわち、靴内で足を滑らせながらつま先立ちに近い姿勢にしてゆくことで次第に踵を上げ、これによって狭い履き口を踵からつま先までがスムーズに通過できるようにする。これに対し、ブーツなどの紐等を利用して締め付け固定するようなものを除き、大半の靴は、踵部の内壁を踵の背面側のふくらみに沿って被さるようなカーブ状にして垂直方向にやや引っ掛かるようにし、歩くときなどに妄りに脱げてしまわないようにされる。このため、実際に靴を脱ぐ際には、上述したように足の姿勢を変えてゆくときに靴の踵部内壁を利用して踵を斜め前方に引き上げるように強制的にやや回転させ、靴の踵部内壁のカーブに沿って踵のふくらみを擦り上げることが自然と行われている。
【０００４】
このようにして踵が靴内で斜め前方に擦り上げられると、このときに生じる摩擦によって靴の踵部も斜め前方に引き上げられ易く、したがって逆に靴の踵部が斜め前方に引き上げられないように押さえることができれば、靴をスムーズに脱ぐことが可能となる。この点、上記従来例のように靴の踵部を溝に引っ掛けるだけでは、踵部の斜め前方、すなわちつま先側向きの力の成分に抵抗することが難しい。したがって上記従来例は、靴脱ぎがしづらいという欠点がある。
【０００５】
本発明は、以上の欠点を解消すべくなされたものであって、より靴脱ぎがしやすい靴脱ぎ補助具の提供を目的とする。
【課題を解決するための手段】
【０００６】
本発明によれば上記目的は、
弾性変形可能な摩擦体を固定基部１から中空状に膨出させて形成される踵部保持部２を有し、靴３内で踵４を靴脱ぎ方向に移動させるときの靴３の踵部５の靴脱ぎ方向への追随を該踵部５に沿って密着する踵部保持部２との間の摩擦により規制する靴脱ぎ補助具を提供することにより達成される。
【０００７】
本発明によれば、靴脱ぎ補助具は、摩擦体によって形成される踵部保持部２を有し、靴脱ぎ時に靴３の踵部５の内壁と踵４との間に生じる摩擦よりも大きな摩擦力を靴３の踵部外壁と踵部保持部２との間で生じさせ、これにより靴３の踵部５の踵４との供回りを抑えて靴３を脱がせる。摩擦体は、靴を脱ぐのに十分な摩擦力を安定して発揮できる材料であれば良く、弾性変形可能なもの、例えばゴムなどを使用することにより、変形によって靴３の踵部５に合わせて密着し、踵部５の斜め前方向きの回転移動を有効に規制する。
【０００８】
また、上記踵部保持部２は、上述した摩擦体を固定基部１から中空状に膨出させて形成されることにより、靴３の踵部５との高密着状態を容易に作り出すことができ、靴３を脱ぐ際に高摩擦接触状態を安定して維持することができるようにされる。上がり框等の適宜の脱ぎやすい場所に固定される固定基部１から摩擦体を中空状に膨出させることにより、弾性変形可能な摩擦体の変形能がさらに高められ、広い範囲にわたってより小さな力で、かつ滑らかに靴３の踵部外壁のカーブに沿って変形できるようになるとともに、その変形量に比して弾性力すなわち変形を引き起こしている靴３の踵部５を弾いて元に戻ろうとする復元力をより低く抑えることができ、靴脱ぎの終始に渡って踵部保持部２に強い変形方向の力を加え続けなくとも高摩擦接触状態を良好に維持できるようになる。したがって、靴３の踵部５を軽く押し当てるだけで踵部保持部２との間に高摩擦接触状態を作り出すことができ、この後、靴３内で踵４を斜め前方に擦り上げて踵部保持部２への押し込み方向の力がやや弱まっても、そのまま高摩擦接触状態が維持されて摩擦によって靴３の踵部５の追随を防止できるために、靴３をスムーズに脱ぐことができる。
【０００９】
さらに、このように軽く押し当てられる靴３の踵部５に対して踵部保持部２をより密着しやすくするためには、摩擦体を固定基部１からの膨出方向に凸な曲面、すなわち摩擦体を側断面視弓状に膨らませることが望ましく、靴３の踵部５の押し当てによって中空部が膨出先端部からなめらかに変形、あるいは縮小することで、踵部５に被さるようになめらかに密着する。この場合において、弓状の踵部保持部２の下部外形線６を上部外形線７よりもなだらかにすれば、靴３の踵部５の引き上げ方向に弾性変形しづらくなり、摩擦力を効果的に生じさせることができる。
【００１０】
また、上述したように靴３の踵部外壁との間に高摩擦接触状態を作り出して靴３を脱ぎやすくすることに加え、さらに、配置の自由度に優れた発明が提案される。この発明によれば、靴脱ぎ補助具は、
弾性変形可能な摩擦体を中空状に膨らませて形成される踵部保持部２と、
足８に履いたままの靴３が載せられる靴載せ部９と、  
該靴載せ部９から立設されて靴３の踵部５に対応する位置に踵部保持部２を保持する支持部１０とを有し、
靴載せ部９に載せられた靴３の踵部５に合わせて踵部保持部２を変形させ、靴３内で踵４を靴脱ぎ方向に移動させるときの靴３の踵部５の靴脱ぎ方向への追随を該踵部５に密着する踵部保持部２との間の摩擦により規制して構成される。
【００１１】
この発明において、靴脱ぎ補助具は、踵部保持部２に加えて靴載せ部９と支持部１０とを有し、靴載せ部９から立設される支持部１０によって靴載せ部９に載せられる靴３の踵部５に対応する位置に踵部保持部２を保持する。靴３を脱ぐ際には、靴載せ部９に靴３を履いたまま足８を載せて踵部保持部２に靴３の踵部５を押し当てればよく、靴３を脱ぐ最中、すなわち靴３内で足８を滑らせて次第につま先立ちに近い姿勢にするときには、靴３の内底に摺接する足指のつけ根部分によって靴３を靴載せ部９に押し付けるようにして靴載せ部９の浮き上がりを防止し、これにより支持部１０を介して踵部保持部２の靴３の踵部５に対する相対位置を安定させることができ、踵部保持部２と靴３の踵部５との間に靴脱ぎを可能にする摩擦を生じさせることができる。
【００１２】
また、このように靴載せ部９と踵部保持部２を連結して靴脱ぎ時の靴３の踵部５に対する踵部保持部２の位置を拘束できるようにすることにより、本発明における靴脱ぎ補助具は、持ち運び自在で、好みや使い勝手などに応じた適宜の位置に配置することが可能となる。例えば、上がり框に向き合うように玄関におけば、靴３を脱いだ後に家に上がりやすくすることが可能になる。
【００１３】
また、踵部保持部２の靴３の踵部５に対する相対位置は、両足８、８の靴３を揃えて載せられるように靴載せ部９を形成するとともに、靴３を脱いだ足８を載せられるように支持部１０を形成し、両足８、８の靴３を交互に脱ぐようにすることによって、さらに簡単、確実に保持することができる。すなわち、先に脱ぐ片方の靴３の踵部５に対する踵部保持部２の相対位置は後に脱ぐもう片方の靴３で靴載せ部９を踏むことによって、この後もう片方の靴３を脱ぐ際の踵部保持部２の相対位置は、既に脱いだ片方の足８を支持部１０上に載せることによって、保持することができる。このように靴載せ部９に両足８、８の靴３を並べて載せるようにすれば、両足８、８を揃えられるために両足８、８の靴３の踵部５を踵部保持部２に押し当てやすい上、脱いだ両足８、８の靴３もきれいに並ぶために靴載せ部９から下ろして靴箱に収納するなどしやすくなる。
【００１４】
また、上記支持部１０を靴３の踵部５周辺を囲うように靴載せ部９の両側に跨る平面視コ字形状にすれば、左右どちらの足８から靴３を脱いでも脱いだ足８をそのまま横に少しスライドさせて近傍の支持部１０上に載せれば残りの足８についてもすぐに靴３を脱ぐことができ、靴脱ぎをより迅速に行うことができる。また、このように支持部１０がコ字形状に形成されることで、つま先を外側に開くようにして靴３を脱いだ足８を載せやすく、靴脱ぎの際のバランスが取りやすくなる。
【発明の効果】
【００１５】
以上の説明から明らかなように、本発明によれば、より靴脱ぎがしやすい靴脱ぎ補助具を提供することができ、高齢者等の靴脱ぎによる身体への負担を軽減することができる。
【発明を実施するための最良の形態】
【００１６】
図１および図２に本発明の第一の実施の形態を示す。この実施の形態において、靴脱ぎ補助具Ａは、補助具本体１１と、両面粘着テープ１２とを有し、補助具本体１１を両面粘着テープ１２によって簡単に固定できるようにされる。上記補助具本体１１は、固定基部１と、該固定基部１の表面に形成される踵部保持部２とを有し、押し出し成形によりゴムで一体成形される。
【００１７】
固定基部１は、図１（ａ）に示すように、細長い板状のゴムで、平らな裏面には上述した両面粘着テープ１２がほぼ全面に渡って貼り付けられる。この固定基部１の幅寸法、すなわち図１（ａ）における高さ方向寸法は、一般的な上がり框１３の寸法内に収まる程度、この実施の形態においては５０〜６０ミリ程度に設定される。
【００１８】
踵部保持部２は、固定基部１の上記高さ方向ほぼ中央部をその表面側に山なりに隆起させて形成される。この踵部保持部２は、図１（ａ）に示すように薄いゴム板を固定基部１の表面に凸なアーチ状に湾曲させて、すなわち薄いゴム板を固定基部１の表面側に膨らませるようにチューブ状にして形成され、したがって固定基部１との間には空洞部１４が設けられる。この実施の形態において、踵部保持部２のゴム厚は弾性変形しやすいように３ミリ程度にされ、また、上述した押し出し成形により踵部保持部２は固定基部１の全幅に渡って形成され、上記空洞部１４は側方に開放する。
【００１９】
さらに、上述したようにアーチ状をなす踵部保持部２は、図１（ｂ）に示すように、固定基部１の高さ方向に離れて立ち上がる２つの脚部の上端間を円弧状の頂部２ａで連結して形成される。より高い位置に形成される上部脚部２ｂは固定基部１に対してほぼ垂直、すなわち固定基部１からほぼ水平に突出し、一方、より低い位置に形成される下部脚部２ｃは、固定基部１から斜め上方に向かって漸次上記上部脚部２ｂに近づくように突出する。したがって踵部保持部２は、高さ方向中央の頂部２ａを境に上部脚部２ｂにより形成される上部外形線７よりも下部脚部２ｃにより形成される下部外形線６を固定基部１からなだらかに突出させて形成される。
【００２０】
以上の靴脱ぎ補助具Ａは、例えば図２に示すように上がり框１３に取り付けることにより使用することができる。この靴脱ぎ補助具Ａは、踵部保持部２が玄関床１５上に置かれる靴３の踵部５、より詳細には図２に示すように踵部５の上端部に対応する高さに位置するように補助具本体１１、すなわち横向きにした固定基部１の裏面を両面粘着テープ１２で上がり框１３に粘着固定される。
【００２１】
靴３を脱ぐ際には、履いている靴３の踵部５を踵部保持部２に押し当てれば良く、図２に示すように、頂部２ａが踵部５によってほぼ水平方向に押し込まれて踵部５に沿うように曲面状に変形し、密着する。また、この頂部２ａの押し込みに伴って、押し込み方向に傾斜して上部脚部２ｂよりも変形しやすくされる下部脚部２ｃの頂部２ａ近傍も頂部２ａに巻き込まれるようにして踵部５に密着する。この状態で、靴３を脱ごうとする、すなわち、足８に力を入れて図２において２点鎖線で示すように靴３の履き口３ａから踵４を滑らせるように引き出そうとすると、靴３の踵部内壁５ａと踵４との間に生じる摩擦によって靴３の踵部５に働く踵４の引き出し方向に追随しようとする力は、靴３の踵部外壁５ｂと踵部保持部２との間に生じる摩擦力によって相殺される。また、この摩擦力は踵４の引き出し方向に靴３の踵部５を弾性変形させる力としても踵部保持部２に働くが、この弾性変形は固定基部１から踵４の引き出し方向に延びる下部脚部２ｃによって低く抑えられる。したがって靴３の踵部５は上方に引き上げられず、踵４が履き口３ａを通って靴３の外に引き出される、すなわち、上述したように足８に力を入れるだけで、靴３の踵部５に手を添えるなどしなくても、靴３を脱ぐことができる。
【００２２】
なお、以上の実施の形態においては押し出し成形により形成される空洞部１４をそのまま外気に開放させる場合を示したが、踵部保持部２の端部にキャップを被せるなどして空洞部１４内にゴミなどを入りにくくしたり、見た目を向上させたりすることも可能である。この場合には、キャップに穴やスリットを設けるなどして靴脱ぎ時に踵部保持部２が変形しやすいように空気の行き来を円滑に行えるようにするのが望ましい。また、このようなキャップのほか、空洞部１４に対してＩ字状やＬ字状に形成された連結具の端部を挿入すれば、複数の靴脱ぎ具Ａ、Ａを長い上がり框１３やコーナー部によりしっかりと連設することが可能となる。
【００２３】
図３ないし図６に本発明の第二の実施の形態を示す。なお、この実施の形態において上述した実施の形態と同一の構成要素は図中に同一の符号を付して説明を省略する。この実施の形態において、靴脱ぎ補助具Ａは、図３に示すように、靴３で踏みつける靴踏み板（靴載せ部９）と、この靴踏み板９に載せられた靴３の踵部５に対応する位置に上述した実施の形態における補助具本体１１を保持する支持部１０とを有する。
【００２４】
靴踏み板９は、錆の生じないステンレスの薄板であり、靴３の両足８Ａ、８Ｂを揃えて載せられる程度よりやや広い幅寸法を有する。この靴踏み板９の長さ寸法は、靴３のつま先部後端部から踵部前端部程度まで、すなわち靴３のつま先部から踵部５までの長さよりやや小寸にされる。また、図示しないが、靴踏み板９の裏面すなわち玄関床１５と接触する面には、フィルム状の樹脂、例えば安価で摩耗しにくい厚さ１００ミクロン程度のオレフィン系のフィルムが貼けられ、玄関床１５と靴踏み板９が擦れて傷ついたり、不快な音が発生したりしないようにされる。
【００２５】
支持部１０は、上述したように靴踏み板９につま先部後端部から踵部前端部程度までを載せた状態における靴３の踵部５に対応する位置に踵部保持部２を保持するために、この実施の形態においては、靴踏み板９の側端部から立設され、靴３の周りを踵部５へと回り込むように延設されて形成される。この支持部１０は、図３に示すように、靴踏み板９の両側端部から立設される足載せ台（足載せ部１７）と、該足載せ台１７間に架設される支持部本体２０とにより構成される。
【００２６】
各足載せ台１７は、靴３を脱いだ足８を載せる台としても機能するもので、質感の良好な木材を足８が載せられる程度の幅長さを備えた長方形形状にして形成される。この足載せ台１７の高さ寸法は、靴３を片方ずつ脱ぐ場合において、先に靴３を脱いだ足８を載せたときに他方の足８の靴脱ぎがしやすい、すなわち他方の足８をつま先立ちにするときの力が入りやすいようにすることなどを考慮して比較的低く設定され、この実施の形態においては、上述した踵部保持部２の高さと同じ程度にされる。
【００２７】
したがって足載せ台１７は、丁度、靴踏み板９上の靴３を履いた両足８Ａ、８Ｂのそれぞれの外側においてそのつま先部から踵部５までの長さを備えて並ぶようにされ、靴踏み板９は、図４（ａ）に示すように、足載せ台１７の靴３のつま先部から踵部５に対応する長さの範囲で、その背面に対して両端部をねじ止めされる。この状態で足載せ台１７は両足８Ａ、８Ｂの靴３が揃えて載せられる程度の間隔を隔て、足載せ台１７の間には靴踏み板９が配置される。なお、図４（ａ）等において、１８は靴踏み板９と足載せ台１７とをねじ止めするネジ１８、１９は足載せ台１７の背面を靴踏み板９の厚さ分だけ掘り込むようにして形成され、ねじ止めされる靴踏み板９の厚さを吸収して靴踏み板９と足載せ台１７のそれぞれの底面を同じ高さに調整する取付段差部１９である。
【００２８】
支持体本体２０は、足載せ台１７同様木材で、図３に示すように、足載せ台１７と同じ高さ寸法を備えて細長い板状に形成される。この支持部本体２０本体は、靴踏み板９上の靴３の踵部５背面に一致する足載せ台１７の後端面に対して図４（ａ）において点線で示すようにネジ１８’によりねじ止めされ、靴踏み板９の両側の足載せ台１７に両端部をしっかりと固定されて靴３の踵部５の背面側を覆うように配置される。
【００２９】
したがって上記補助具本体１１は、図３および図４（ｂ）に示すように、踵部５の背面に一致する支持部本体２０の足載せ台１７側の面に対して固定基部１の裏面を両面粘着テープ１２により貼り付けされ、足載せ台１７側に踵部保持部２を膨出させて靴踏み板９に連結固定される。この状態で、補助具本体１１と足載せ台１７との間、すなわち靴踏み板９上に載置される靴３の踵部５の底面に対応する部位には、図４（ａ）および（ｂ）に示すように適宜の隙間が生じて水抜き口２１が形成され、靴３が雨で濡れた場合などにおける水捌けを良好にされる。
【００３０】
以上の靴脱ぎ補助具Ａは、例えば、玄関床１５上に載置される。靴脱ぎに際しては、先ず、両足８Ａ、８Ｂの靴３を足載せ台１７や支持部本体２０をおおよそのガイドとして靴踏み板９上に揃えて載せ、踵部５を踵部保持部２に押し当てる。踵部保持部２を変形させて密着させるために、靴３の踵部５を押し当る時には、片足８で靴踏み板９を踏みつけ、より具体的には足指のつけ根部分で踵部保持部２が動かないように押さえつけておき、その間に踏みつけていない他方の足８の靴３の踵部５を押し当てる。靴踏み板９を踏む足８と押し当てる足８を交互に代えることで順次両足８Ａ、８Ｂの靴３の踵部５を押し当てることができる。この実施の形態においては、踵部保持部２は、図５に示すように、変形して靴３の踵部５の下端部に密着する。
【００３１】
次いで、脱ぎ始めやすいいずれか一方の足８、この実施の形態においては図６（ａ）に示すように右足８Ａから靴３を脱ぎ、脱いだ足８をそのまま外側に移動させて右側の足載せ台１７上に載せる。上述したように靴３を脱ぐ際には、靴３内での足８の踵４の動きによって靴３の踵部５は斜め前方に向かって回転しようとするが、靴踏み板９を踏みつける左足８Ｂによって位置を拘束された踵部保持部２と右足８Ａの靴３の踵部５との間の摩擦によって右足８Ａの靴３の回転が規制されるため、スムーズに靴３を脱ぐことができる。
【００３２】
この後、今度は、右足８Ａで足載せ台１７を踏みつけることにより同様に踵部保持部２を移動しないようにして、左足８Ｂの靴３を脱ぎ、靴脱ぎは完了する。靴３を脱いだ左足８Ｂをそのまま玄関の上がり框１３上に載せ、あるいは一旦左側の足載せ台１７に載せてから改めて上がり框１３に上がることにより家に上がることができ、したがって腰を屈めて靴３の踵部５を押さえるなどの身体に負担がかかりやすい動作をせず、楽なほぼ直立姿勢のままで靴３を脱ぐことができる。
【００３３】
なお、以上の実施の形態においては、上がり框１３等に補助具本体１１を固定する手段として両面粘着テープ１２を用いる場合を示したが、ビスなどによることも可能である。この場合には、ビスなどの頭部を摩擦体から突出しないようにして踵部５との擦過等を防止することが望ましい。また、第二の実施の形態においては、支持部１０を平面視コ字形状にし、靴踏み板９を踏みつける際に力の入れやすい足指の付け根に対応するつま先部から踵部前端部までの長さにして水抜き口２１を設ける場合を示したが、靴踏み板９と支持部本体２０を単に靴３の裏と踵部５に沿う側面視Ｌ字形状にして製造効率を高めることも可能である。また、図６（ｂ）において左側の足載せ台１７上に二点鎖線で示すように、靴３を脱いだ足８を斜めに向けて載せるようにすれば、足載せ台１７の幅を細くしても足りる上に、靴脱ぎの際のバランスを取りやすくなる。
【図面の簡単な説明】
【００３４】
【図１】本発明の第一の実施の形態を示す図で、（ａ）は斜視図、（ｂ）は側面図である。
【図２】靴脱ぎ時の状態を説明する図である。
【図３】本発明の第二の実施の形態を示す図で斜視図である。
【図４】構造を説明する要部拡大図で、（ａ）は背面図、（ｂ）は図３の４ｂ-４ｂ線断面図である。
【図５】靴脱ぎ時の状態を説明する図である。
【図６】靴脱ぎ手順を説明する図で、（ａ）は最初の片足の靴を脱ぐ状態を示す図（ｂ）はもう片足の靴を脱ぐ状態を示す図である。
【符号の説明】
【００３５】
１    固定基部
２    踵部保持部
３    靴
４    踵
５    踵部
６    下部外形線
７    上部外形線
８    足
９    靴載せ部
１０  支持部
【図１】
2007014557.tif 000003
【図２】
2007014557.tif 000004
【図３】
2007014557.tif 000005
【図４】
2007014557.tif 000006
【図５】
2007014557.tif 000007
【図６】
2007014557.tif 000008